(57)【要約】【課題】重量シャッター装置のシャッターケースを製造するにあたり、構成の簡略化、製造工程の簡略化を図れるようにする。【解決手段】シャッターケース８を、前後方向に突出する上下一対の上下側支持片１０ａ、１０ｂと、前側支持片１０ｃとにより構成される複数の補強部材１０と、これら補強部材１０の外面に沿って設けられる上下パネル１１、１２と前パネル１３、１４とを用いて構成し、前パネル１３、１４を、上端部に設けた係止片１３ａ、１４ａが上パネル１１の前端縁に形成した係止受け片１１ｅに後方から係止して上パネル１１に支持される構成とするとともに、各補強部材１０の上側支持片１０ａと前側支持片１０ｃとの連結部Ｒ１を前側支持片１０ｃより後方に退避させる構成とする。【選択図】図５
2011214237.tif 000002
【特許請求の範囲】
【請求項１】
開口部上方の躯体に固定される左右一対のブラケットと、これらブラケットに回転自在に支持される巻取りドラムと、ブラケットの左右何れか一方に支持されて、巻取りドラムを正逆回転せしめる開閉機と、巻取りドラムに巻装され、巻取りドラムの正逆回転に基づいて開口部を開閉するシャッターカーテンと、開口部上方の躯体に固定され、ブラケットとシャッターカーテンが巻装された巻取りドラムと開閉機とを覆うシャッターケースとを備えた建築用の重量シャッター装置において、前記シャッターケースを、前後方向に突出する上下一対の上下側支持片とこれら上下側支持片の前端部同士を連結する前側支持片とにより構成され、左右方向所定間隙を存して配される複数の補強部材と、これら補強部材の外面に沿って設けられる上下パネルと前パネルとを用いて構成し、前パネルを、上端部に設けた係止片が上パネルの前端縁に形成した係止受け片に後方から係止して上パネルに支持される構成とするとともに、各補強部材の上側支持片と前側支持片との連結部を前側支持片より後方に退避させて、補強部材の連結部の前方を、係止片と係止受け片との係止スペースとしたことを特徴とする建築用の重量シャッター装置におけるシャッターケース。
【請求項２】
補強部材は、断面Ｃ型形状の鋼材をＵ字状に折曲して形成され、上側支持片と前側支持片との連結部は、所定の曲率を存したＲ状部に形成されていることを特徴とする請求項１における建築用の重量シャッター装置におけるシャッターケース。
【請求項３】
前パネルは、左右方向複数に分割され、左右の端縁部が補強部材に積層状に配されているとともに、下端部は下パネルの前端縁に形成された取付け片に螺子止め固定されていることを特徴とする請求項１または２における建築用の重量シャッター装置におけるシャッターケース。
【発明の詳細な説明】
【技術分野】
【０００１】
本発明は、工場の出入り口部等の大開口に建て付けられる建築用の重量シャッター装置におけるシャッターケースの技術分野に関するものである。
【背景技術】
【０００２】
一般に、建築用シャッター装置のなかには、開口部上方の躯体に設けられる左右一対のブラケットと、これらブラケットに回転自在に支持される巻取りドラムと、ブラケットの左右何れか一方に支持されて、巻取りドラムを正逆回転せしめる開閉機と、巻取りドラムに巻装され巻取りドラムの正逆回転に基づいて開口部を開閉するシャッターカーテンと、開口部上方の部材を覆うように設けられるシャッターケースとを用いて構成したものが知られている。このものにおいて、大開口に設けられる重量シャッター装置では、予め躯体に左右一対のブラケットを固定し、これらブラケットのうち一方のブラケットに開閉機を固定するとともに、これら左右ブラケットに巻取りドラムの左右両端部を支架せしめ、巻取りドラムと開閉機との連結、巻取りドラムとシャッターカーテンとの連結をした後、これら躯体上方に設けられた部材を覆うようにボックス状のシャッターケースを設けるようにしている。この場合に、シャッターケースは、鋼板からなる上下、前の各パネル、さらには、左右のキャップ部材を溶接等の手段を用いて製造するのが一般であり、このため、熟練した技術が要求されるばかりでなく、製造に要する時間が長く、コスト高になるという問題がある。
そこで、上下、前、さらには左右の各パネル同士をボルトを用いて連結する構成として溶接箇所を極力少なくし、組込み作業が容易になるようにして製造に要する時間とコストを低下させるようにしたものが提唱されている。
【先行技術文献】
【特許文献】
【０００３】
【特許文献１】特許第３７２８７２４号公報
【発明の概要】
【発明が解決しようとする課題】
【０００４】
しかるに、前記従来のものにおいて、前パネルは、上下端縁部を上下パネルに設けた突当て片に単に突当てて螺子止めすることにより支持される構成となっている。このため、メンテナンス等で前パネルを着脱する場合では、前パネルを取付け片に押さえ付けた状態で螺子の螺合、あるいは、取外し作業を強いられることになり、前パネルが重量部材であり、しかも、高所作業であることもあって作業性に劣るという問題があり、ここに本発明の解決すべき課題がある。
ところで、開口部が左右方向に長い大開口に重量シャッター装置を設ける場合に、シャッターケースの上下、前の各パネルは左右方向に長い形状となるが、このとき、前記従来のもののように、上下、前パネルを単に左右のパネルに固定するだけの構成では、上下、前パネルに左右方向の撓みや歪みが生じることが考えられ、このままの構成を採用することはできない。
この場合では、上下、前の各パネルの左右方向複数箇所に、各パネルを内側から支持する補強部材を設けることが提唱され、このような補強部材としては、例えば図７に示すような参考例が想定される。前記補強部材２１は、アングル鋼材で構成され、躯体に固定される上下一対の上下側支持片２１ａと、これら上下側脚片２１ａの前端部同士を直交状に連結する前側支持片２１ｂとでコ字形状に一体化するとともに、上下側支持片２１ａと前側支持片２１ｂとで構成される上下の連結部（コーナー部）に傾斜状の補強片２１ｃを設けて、補強部材２１自体を補強する構成となっている。そして、シャッターケースは、補強部材２１の外面に上下、前の各パネル２２、２３、２４を螺着して構成されている。しかるに、このような補強部材２１を形成するには、熟練した作業が必要な溶接手段を用いることになり、製造に要する時間、コストが増大するという当初の問題を依然解決することができず、ここにも本発明の解決すべき課題がある。
【課題を解決するための手段】
【０００５】
本発明は、上記の如き実情に鑑みこれらの課題を解決することを目的として創作されたものであって、請求項１の発明は、開口部上方の躯体に固定される左右一対のブラケットと、これらブラケットに回転自在に支持される巻取りドラムと、ブラケットの左右何れか一方に支持されて、巻取りドラムを正逆回転せしめる開閉機と、巻取りドラムに巻装され、巻取りドラムの正逆回転に基づいて開口部を開閉するシャッターカーテンと、開口部上方の躯体に固定され、ブラケットとシャッターカーテンが巻装された巻取りドラムと開閉機とを覆うシャッターケースとを備えた建築用の重量シャッター装置において、前記シャッターケースを、前後方向に突出する上下一対の上下側支持片とこれら上下側支持片の前端部同士を連結する前側支持片とにより構成され、左右方向所定間隙を存して配される複数の補強部材と、これら補強部材の外面に沿って設けられる上下パネルと前パネルとを用いて構成し、前パネルを、上端部に設けた係止片が上パネルの前端縁に形成した係止受け片に後方から係止して上パネルに支持される構成とするとともに、各補強部材の上側支持片と前側支持片との連結部を前側支持片より後方に退避させて、補強部材の連結部の前方を、係止片と係止受け片との係止スペースとしたことを特徴とする建築用の重量シャッター装置におけるシャッターケースである。
請求項２の発明において、補強部材は、断面Ｃ型形状の鋼材をＵ字状に折曲して形成され、上側支持片と前側支持片との連結部は、所定の曲率を存したＲ状部に形成されていることを特徴とする請求項１における建築用の重量シャッター装置におけるシャッターケースである。
請求項３の発明において、前パネルは、左右方向複数に分割され、左右の端縁部が補強部材に積層状に配されているとともに、下端部は下パネルの前端縁に形成された取付け片に螺子止め固定されていることを特徴とする請求項１または２における建築用の重量シャッター装置におけるシャッターケースである。
【発明の効果】
【０００６】
請求項１の発明とすることにより、強度が高く、雨仕舞いに優れた信頼性の高いシャッターケースでありながら、構成が簡略で、しかも、前パネルの着脱を容易に行うことができる。
請求項２の発明とすることにより、構成の簡略化が図れるうえ、溶接等の熟練した技術を不要にでき、作業時間の短縮、低コスト化を図れる。
請求項３の発明とすることにより、着脱作業が容易で、一人作業でメンテナンスを実施することができる。
【図面の簡単な説明】
【０００７】
【図１】重量シャッター装置の一部を切欠いた正面図である。
【図２】シャッターケースの斜視図である。
【図３】図３（Ａ）、（Ｂ）はそれぞれシャッターケースの正面図、底面図である。
【図４】図４（Ａ）、（Ｂ）、（Ｃ）、（Ｄ）はそれぞれ補強部材の背面図、側面図、平面図、底面図である。
【図５】図３（Ａ）におけるＸ−Ｘ断面図である。
【図６】図６（Ａ）は図３（Ａ）におけるＹ−Ｙ断面図、図６（Ｂ）は前パネルの上パネルへの係止組込み手順を説明する側面図である。
【図７】シャッターケースの補強部材の参考例を説明する側面図である。
【発明を実施するための形態】
【０００８】
以下、本発明の実施の形態について、図面に基づいて説明する。
図面において、１は開口部に建て付けられた建築用の重量シャッター装置のシャッターカーテンであって、該シャッターカーテン１は、図１に示すように、複数枚のスラット１ａの上下端部をインターロック連結等により揺動自在に連結して構成されており、上端部に位置するスラット１ａに連結された複数の吊り金具１ｂを介して巻取りドラム２に連結されている。一方、開口部上方の躯体には、シャッターカーテン１を基準として屋内外方向一方（本実施の形態では屋外側（前方）であるが、屋内側（後方）となる場合もある）に突出する状態で左右一対の左右支持ブラケット３、４が一体的に固定されており、これら左右支持ブラケット３、４には軸受け部材３ａ、４ａがそれぞれ設けられており、これら軸受け部材３ａ、４ａに、前記巻取りドラム２の左右両端部から突出する回転軸２ａが回転自在に軸承されている。
さらに、前記左右支持ブラケット３、４のうちの一方であって、本実施の形態では、図１において右側の右支持ブラケット４には、前方に突出する開閉機用支持ブラケット５が一体的に連結されており、該開閉機用支持ブラケット５に開閉機６が支持されている。そして、前記開閉機６を巻取りドラム２の回転軸２ａに連動連結することにより、巻取りドラム２が開閉機６の駆動力に伴い正逆回転するように構成されており、該巻取りドラム２の正逆回転に伴い、シャッターカーテン１は巻取りドラム２から巻出されて開口部を閉鎖する全閉姿勢と巻取りドラム２に巻取られて開口部を開放する全閉姿勢とのあいだを変姿するように構成されている。このとき、シャッターカーテン１の左右両端部は、開口部両側に配されたガイドレール７の移動案内を受けながら開閉移動するように構成されており、これらの基本構成は何れも従来通りとなっている。
【０００９】
８は開口部上方の躯体に固定されるシャッターケースであって、該シャッターケース８は、躯体上部に固定される部材（上方部材であって、左右支持ブラケット３、４、開閉機用支持ブラケット５、巻取りドラム２、開閉機６）を覆蓋するよう後方が開口するボックス状に形成されている。ここで、シャッターケース８の右端部は、右支持ブラケット４から前方に突出して設けられている開閉機６を覆蓋する開閉機室９を構成するべく、前方に突出した形状に形成されている。
前記シャッターケース８は、左右方向所定間隙を存して配される複数（五個）の補強部材１０と、これら複数の補強部材１０の外面に沿って配され、開閉機室９を含む上方部材の左右方向全域を上下方向から覆蓋する左右方向長尺状の上下一対の上下パネル１１、１２と、開閉機６配設部を除く上方部材の前方を覆蓋する複数枚（五枚）の前パネル１３と、開閉機６配設部（開閉機室９）の前方を覆蓋する開閉機室用前パネル１４と、開閉機６の左側部を覆蓋する開閉機室用左キャップ部材１４ａと、シャッターケース８の左右両端部に配される左右一対のキャップ部材１５、１６とを用いて構成されている。
そして、本実施の形態では、シャッターケース８を予め工場において組込み、該組込まれた状態のシャッターケース８を設置現場に搬送し、躯体に固定するように構成されている。
【００１０】
つぎに、シャッターケース８の構成について躯体への取付け姿勢を基準として説明する。
前記補強部材１０は、断面Ｃ型形状の所謂チャンネル型鋼材１７を用いて構成されており、これによって、補強部材１０の強度が高められるように構成されている。つまり、チャンネル型鋼材１７は一対の対向脚片１７ａと、これら対向脚片とを連結する連結片１７ｂとを備えた長尺体に構成されており、該長尺状のチャンネル型鋼材１７をプレス加工することにより、Ｕ字状に折曲された補強部材１０を構成している。このとき、補強部材１０は、上下一対の上下側支持片１０ａ、１０ｂと、これら上下側支持片１０ａ、１０ｂの前端部同士を連結する前側支持片１０ｃとを備えて構成されており、チャンネル型鋼材１７の連結片１７ｂがＵ字状の外面を構成し、一対の対向脚片１７ａがＵ字状の折曲部における曲げ強度を高める機能を発揮するように構成されている。
前記補強部材１０において、上側支持片１０ａの前端部と前側支持片１０ｃの上端部との連結部、下側支持片１０ｂの前端部と前側支持片１０ｃの下端部との連結部は、それぞれ所定の曲率を備えた上下のＲ状部Ｒ１、Ｒ２に設定されており、これによって、上下の連結部（Ｒ状部Ｒ１、Ｒ２）は、それぞれ前側支持片１０ｃより後方に退避するように設定されている。
【００１１】
また、前側支持片１０ｃと上側支持片１０ａ後端部との対向間隔（上部対向間隔Ｈ１）は左側の支持ブラケット３の前後方向長さより僅かに長く設定されており、前側支持片１０ｃと下側支持片１０ｂ後端部との対向間隔（下部対向間隔Ｈ２）は、前記上部対向間隔Ｈ１よりも短い（Ｈ２＜Ｈ１）長さに設定されており、上側支持片１０ａを開口部上方の躯体壁面に近接状に組込んだとき、下側支持片１０ｂは、躯体壁面とのあいだに所定間隙を存して設けられ、まぐさの構成部材となる横木（躯体側部材）１８に達する長さとなるように構成されている。また、上下側支持片１０ａ、１０ｂの対向間隔Ｈ３は左右ブラケット３、４の上端部からガイドレール７の上端部の上方部位に至る長さに設定されている。
そして、上側支持片１０ａの上端面となる連結片１７ｂの前後方向二箇所と、下側支持片１０ｂの下端面となる連結片１７ｂの一箇所とには、それぞれバーリング加工を施すことにより螺子溝１０ｄが形成されており、前側支持片１０ｃの前端面となる連結片１７ｂの上下方向二箇所にはそれぞれ螺子孔１０ｅが形成されている。
【００１２】
一方、前記上パネル１１は左右方向長尺状の一枚板により形成されており、右端部の開閉機室９を構成する部位には前方に突出する状態で幅広部１１ａが延出形成されている。前記上パネル１１の左右方向長さは、左右の支持ブラケット３、４の対向間隔よりも僅かに長く設定されている。また、上パネル１１の右端部の幅広部１１ａにおける前後方向長さは、右支持ブラケット４と開閉機用支持ブラケット５との前後方向長さよりも僅かに長く設定され、その他の部位の前後方向長さは補強部材１０の上部対向間隔Ｈ１より僅かに長く設定されている。さらに、上パネル１１の前端縁部（幅広部１１ａの前端縁部も含む）には、下方に向けて突出する第一折曲片１１ｂと、該第一折曲片１１ｂの先端縁から後方に向けて突出する第二折曲片１１ｃと、該第二折曲片１１ｃの先端縁から上方に向けて突出する第三折曲片１１ｄとによりＵ字状（鉤状）に折り返されて、第一折曲片１１ｂの後方において開口する係止受け片１１ｅが折曲形成されている。さらに、上パネル１１の補強部材１０取付け箇所となる左右方向複数箇所（五箇所）には、補強部材上側支持片１０ａの前後方向二箇所に設けられた螺子孔１０ｄに対向する前後二つの貫通孔１１ｆが開設されている。
【００１３】
一方、下パネル１２は前記上パネル１１と同様の左右長さを有した長尺状一枚板により形成されている。さらに、下パネル１２の右端部の開閉機室９を構成する部位には前方に突出する状態で幅広部１２ａが延出形成されている。そして、下パネル１２の右端部の幅広部１２ａにおける前後方向長さは右支持ブラケット４と開閉機用支持ブラケット５との前後方向長さよりも短く、その他の部位の前後方向長さは補強部材１０の下部対向間隔Ｈ２よりも僅かに長く設定されている。さらに、下パネル１２の前端縁部（幅広部１２ａの前端縁部も含む）には、上方に向けて突出する第一折曲片１２ｂと、該第一折曲片１２ｂの先端縁から後方に向けて突出する第二折曲片１２ｃと、該第二折曲片１２ｃの先端縁から上方に向けて突出する第三折曲片１２ｄとによりクランク状に折曲された取付け片１２ｅが折曲形成されている。さらに、下パネル１２の補強部材１０取付け箇所となる左右方向複数箇所（五箇所）には、補強部材１０の下側支持片１０ｂに設けられた螺子孔１０ｄに対向する貫通孔１２ｆが開設されている。また、下パネル１２の幅広部１２ａには、開閉機室９内を臨むことができる点検口１２ｇが下方に向けて開閉自在に設けられている。尚、下パネル１２の後端部には予め横木１８が固定されているが、該横木１８は、シャッターケース８を躯体に固定する際に左右両端部を左右支持ブラケット３、４に一体化することで、まぐさを構成する躯体側部材となるように構成されている。
【００１４】
さらに、前パネル１３は、補強部材１０の配設箇所、開閉機室９の左右方向長さに応じて、適宜左右方向長さに設定された五枚に分割されており、各前パネル１３の上下方向長さは、補強部材１０の上下側支持片１０ａ、１０ｂの対向間隔Ｈ３より僅かに短い長さに設定されている。そして、各前パネル１３の上端縁部には、前方に向けて折り返すことにより、折り返し先端縁が斜め下方を向いて前パネル１３に対して鋭角状に折曲する係止片１３ａが形成されている。また、開閉機室用前パネル１４は、上下パネル１１、１２の幅広部１１ａ、１２ａの左右幅に応じた左右長さに設定されており、上端縁部には前記前パネル１３と同様の係止片１４ｂが形成されている。
【００１５】
そして、これら各部材は次のような手順で組込まれることでシャッターケース８となるように構成されている。
上パネル１１の左右方向複数箇所（本実施の形態では五箇所）に開設された貫通孔１１ｆ形成部位に対して、それぞれ補強部材１０の上側支持片１０ａの外面（連結片１７ｂ）を当てがい、各上側支持片１０ａの螺子孔１０ｄと貫通孔１１ｆとを位置合わせして螺子１１ｇを用いて螺着して上パネル１１を各補強部材上側支持片１０ａの外面に沿って一体化する。このとき、上パネル１１の後端縁を上側支持片１０ａの後端縁に位置合わせすることにより、前端縁が前側支持片１０ｃよりも前方に突出するように設定されている。そして、係止受け片１１ｅが補強部材１０の上Ｒ状部Ｒ１の前方に位置して、係止受け片１１ｅと上Ｒ状部Ｒ１とのあいだに隙間が形成され、かつ、係止受け片１１ｅの第三折曲片１１ｄと前側支持片１０ｃの前端面とが略同位置となるように設定されている。尚、螺子１１ｇのうち、左右二箇所のものは、工場出荷の段階では吊り込みフック付き螺子１１ｈとなっている。
続いて、下パネル１２を各補強部材１０の下側支持片１０ｂの外面（連結片１７ｂ）にあてがい、貫通孔１２ｆと各下側支持片１０ｂの螺子孔１０ｄとを位置合わせして螺子１２ｈを用いて螺着することにより、補強部材下側支持片１０ｂの外面に沿って下パネル１２が一体化する。このとき、下パネル１２の後端縁を下側支持片１０ｂの後端縁に位置合せすることにより、前端縁が前側支持片１０ｃよりも前方に突出するように設定されている。そして、取付け片１２ｅが補強部材１０の下Ｒ状部Ｒ２の前方に位置して、下Ｒ状部Ｒ２とのあいだに隙間が形成されるように設定され、かつ、取付け片１２ｅの第三折曲片１２ｄと前側支持片１０ｃの前端面とが略同位置となるように設定されている。
【００１６】
続いて、複数に分割された前パネル１３および開閉機室用前パネル１４を組込むが、各前パネル１３、１４は、左右端縁部のうち、少なくとも一方が補強部材１０に積層する長さとなるように寸法設定されている。そして、各前パネル１３、１４は、上パネル１１に吊持される状態に係止支持した後、下パネル１２に固定する構成となっている。つまり、図６（Ｂ）に示すように、各前パネル１３、１４は、上下パネル１１、１２が組込まれた補強部材１０に対し、上方ほど後位となる傾斜姿勢とし、上端縁に形成された係止片１３ａ、１４ｂを、補強部材１０の上Ｒ状部Ｒ１と上パネル１１の係止受け片１１ｅとのあいだの隙間となる部位（係止スペース）に差し込み、続いて、前方に突出する各係止片１３ａ、１４ｂの先端を、係止受け片１１ｅの第一折曲片１１ｂの後方に形成される開口に差し込んだ状態で前パネル１３、１４を垂直姿勢に変姿させることにより、係止片１３ａ、１４ｂが第三折曲片１１ｄに係止されて、上パネル１１に吊持状に支持されるように構成されている。そして、この状態において、前パネル１３、１４の下端部を下パネル１２の取付け片１２ｅの第三折曲片１２ｄに突当てて、螺子１３ｂ、１４ｃを螺着して固定することにより、前パネル１３、１４が補強部材前側支持片１０ｃの前端面に沿う状態で、上下パネル１１、１２に一体化されるように構成されている。
尚、１９は、補強部材１０に固定される前板であって、該前板１９は、補強部材１０の前側支持片１０ｃ上に積層する左右一対の前パネル１３の左右端縁部を前方から覆蓋し、螺子１９ａを前側支持片１０ｃの外面に形成された螺子孔１０ｅに螺合することにより固定されている。そして、前板１９は、前パネル１３、１４の左右幅の寸法誤差を吸収して意匠性の向上を図るとともに、雨仕舞いを確保するように構成されている。
また、１１ｉ、１２ｉはそれぞれ上下パネル１１、１２の後端縁部に固定されたアングル材である。
さらに、このものに対し、開閉機用左キャップ部材１４ａ、および、左右のキャップ部材１５、１６を組込むことでシャッターケース８が構成されるが、これらの部材の組込みは汎用の手法によりなされているので、ここでの説明は省略する。
【００１７】
このように組込むことにより、シャッターケース８は溶着部位が極力少なくなって、作業性よく、しかも、容易に組込まれるように構成されている。そして、シャッターケース８を設置現場に搬入して躯体に組込む場合では、吊り込みフック付き螺子１１ｈを用いて上方に吊り上げて開口部上方の躯体に固定されるが、このとき、開口部上方の躯体には、左右支持ブラケット３、４固定部の上方にアングル材２０が固定されている。そして、シャッターケース８は、上パネル１１の後端縁部にアングル材１１ｉを固定し、該アングル材１１ｉを躯体側の前記アングル材２０に支持せしめ、この状態において、シャッターケース８を躯体に一体化するが、一体化の手法としては、例えば、上パネル１１の後端縁部と躯体、下パネル１２後端縁部の左右両端部とガイドレール７とをアングル材を用いて溶着すること等により、躯体への取付けがなされるように構成されている。
【００１８】
叙述の如く構成された本形態において、シャッターケース８は左右方向長尺状の大開口に設けられるものであるが、左右方向適間隔を存してＵ字状の補強部材１０が設けられていて、一枚板状の上下パネル１１、１２に撓みや歪みが生じることがなく、強度の高い信頼性の高いシャッターケース８を提供することができる。
【００１９】
そのうえ、このものでは、複数枚に分割された前パネル１３、１４の上端縁部に形成された係止片１３ａ、１４ｂが、上パネル１１の前端縁部に形成された係止受け片１１ｅに係止する構成となっている。この結果、予め係止片１３ａ、１４ｂを係止受け片１１ｅに係止して、前パネル１３、１４を上パネル１１に吊持させた状態において、前パネル１３、１４の固定、あるいは、取外し作業を行ことができ、従来のように螺子を外しながら前パネルを押さえるような作業を強いられることがなく、一人作業であっても作業性よく前パネル１３、１４の着脱をすることができる。
【００２０】
しかも、前パネル１３、１４の上パネル１１への係止は、前パネル１３、１４の係止片１３ａ、１４ｂを上パネル１１の係止受け片１１ｅに対して後方から係止支持させて雨仕舞いのよいものになっている。そしてこの係止組込みをするためには、前パネル１３、１４の上端部の係止片１３ａ、１４ｂを、上パネル１１の係止受け片１１ｅの後方に差し込む係止スペースが必要となるが、補強部材１０の上側支持片１０ａと前側支持片１０ｃとの連結部である上Ｒ状部Ｒ１は、前側支持片１０ｃよりも後方に退避していて、係止受け片１１ｅと上Ｒ状部Ｒ１とのあいだに隙間が形成されている。この結果、前記隙間を係止片１３ａ、１４ｂと係止受け片１１ｅとの係止スペースとすることができ、補強部材１０の配設位置においても係止片１３ａ、１４ｂと係止受け片１１ｅとの係止を行うことができ、一枚板状の上パネル１１に形成される係止受け片１１ｅを補強部材１０配設部において切欠いたり、前パネル１３、１４を補強部材１０配設部を避けて設けるようなことなく、前パネル１３、１４を上パネル１１に支持させることができ、構成の簡略化を図れて作業性に優れるとともに、雨仕舞いのさらなる向上を図ることができる。
【００２１】
さらにこのものでは、補強部材１０をチャンネル材１７を用い、プレス加工によりＵ字状に折曲したものとなっているので、高い曲げ強度を確保することができるものでありながら、補強部材１０の構成の簡略化を図れるうえ、溶接等の熟練した技術を不要にでき、シャッターケース８の製造工程で、極力溶接箇所を少なくすることができ、製造工程の簡略化が図れて作業時間を短縮し、低コスト化を図ることができる。
【００２２】
また、このものにおいて、前パネル１３は左右方向複数に分割されていているうえ、各前パネル１３、１４を上パネル１１に吊持状に係止支持させた状態において、下端部を下パネル１２の取付け片１２ｅに螺子１３ｂ、１４ｃにより固定する構成としたので、着脱作業が容易に行えて一人作業でメンテナンスを実施することが可能となる。
【産業上の利用可能性】
【００２３】
本発明は、工場等の大開口に設けられる大型の重量シャッター装置において、開閉機等の躯体上部に設けられる部材を収納する収納ケースに利用することができる。
【符号の説明】
【００２４】
１  シャッターカーテン
２  巻取りドラム
３  左支持ブラケット
４  右支持ブラケット
６  開閉機
８  シャッターケース
９  開閉機室
１０  補強部材
１０ａ  上側支持片
１０ｃ  前側支持片
１１  上パネル
１１ｅ  係止受け片
１２  下パネル
１２ｅ  取付け片
１３  前パネル
１３ａ  係止片
１４  開閉機室用前パネル
１５  キャップ部材
【図１】
2011214237.tif 000003
【図２】
2011214237.tif 000004
【図３】
2011214237.tif 000005
【図４】
2011214237.tif 000006
【図５】
2011214237.tif 000007
【図６】
2011214237.tif 000008
【図７】
2011214237.tif 000009